(57)【要約】【課題】従来は、屋外温度を監視することで制御していた給気量を、居住者の要求に合致するように制御することを目的とする。【解決手段】給気量を変化させる給気用駆動モータ５と、給気用駆動モータ５を制御する制御手段と、室内温度を検知する室内温度サーミスタ１７と、屋外温度を検知する屋外温度サーミスタ１８と備える換気装置において、制御手段では、室内温度サーミスタ１７で検知した室内温度と、屋外温度サーミスタ１８で検知した屋外温度と、あらかじめ設けられている室内目標温度に基づいて給気用駆動モータ５の制御をおこなう。【選択図】図１
2009216308.tif 000002
【特許請求の範囲】
【請求項１】
給気量を変化させる給気量切替手段と、前記給気量切替手段を制御する制御手段と、室内温度を検知する室内温度検知手段と、屋外温度を検知する屋外温度検知手段とを備える換気装置において、前記制御手段では、前記室内温度検知手段で検知した室内温度が前記屋外温度検知手段で検知した屋外温度よりも高い場合に、あらかじめ設けられている室内目標温度に基づいて給気量切替え手段の制御をおこない給気量を変化させる換気装置。
【請求項２】
制御手段では、室内温度検知手段で検知した室内温度が室内目標温度よりも高い場合に、給気量を増加させることを特徴とする請求項１記載の換気装置。
【請求項３】
制御手段では、室内温度検知手段で検知した室内温度が室内目標温度になるように給気量を制御する請求項１または請求項２に記載の換気装置。
【請求項４】
室内湿度を検知する室内湿度検知手段と屋外湿度を検知する屋外湿度検知手段とを備え、制御手段では、室内湿度検知手段で検知した室内湿度を用いて室内温度検知手段で検知した室内温度に対し補正を加え、かつ屋外湿度検知手段で検知した屋外湿度を用いて屋外温度検知手段で検知した屋外温度に対し補正を加えることを特徴とする請求項１から３のいずれかに記載の換気装置。
【請求項５】
現在の月日を判断できるカレンダー手段を備え、制御手段では、前記カレンダー手段の日時に基づいて室内目標温度を決定することを特徴とする請求項１から４のいずれかに記載の換気装置。
【請求項６】
制御手段では、屋外温度検知手段で検知した屋外温度に基づいて室内目標温度を決定することを特徴とする請求項１から４のいずれかに記載の換気装置。
【請求項７】
室内を冷房する為の冷房装置が室内に備えられた場合に、冷房装置における冷房設定温度に基づいて、室内目標温度を決定するように構成した請求項１から４のいずれかに記載の換気装置。
【請求項８】
居住者が入力できる入力手段を備え、前記入力手段により室内目標温度を居住者が任意に設定できるように構成した請求項１から７のいずれかに記載の換気装置。
【請求項９】
室内を冷房する為の冷房装置が室内に備えられた場合に、冷房装置における運転／停止を検知する冷房運転検知手段を備え、前記冷房運転検知手段で前記冷房装置における運転を検知した場合に、制御手段により室内温度と室内目標温度の大小に関わらず給気量を増加することを特徴とする請求項１記載の換気装置。
【請求項１０】
冷房運転検知手段として、冷房装置の吹出し風路に温度検知手段を備えたことを特徴とする請求項９記載の換気装置。
【請求項１１】
冷房運転検知手段の検知情報に基づき、制御手段では冷房装置が運転から停止に変更されたと判断した時点で、冷房運転中の室内温度に基づいて室内目標温度を補正する請求項９または１０に記載の換気装置。
【請求項１２】
冷房装置の運転を遠隔操作できるリモコンが室内に備えられた場合に、前記リモコンから発信される赤外線信号を受信できる受信部を備えた請求項７または請求項９から１１のいずれかに記載の換気装置。
【請求項１３】
屋外に対して開放／閉鎖できる窓が室内に備えられた場合に、前記窓における開放／閉鎖を検知する窓開閉検知手段を備え、前記窓開閉手段手段の検知情報に基づき、制御手段により給気量を変化させることを特徴とする請求項１記載の換気装置。
【請求項１４】
窓開閉手段手段により窓が開放されていると検知された場合に、制御手段により室内温度と室内目標温度の大小に関わらず給気量を零とすることを特徴とする請求項１３記載の換気装置。
【請求項１５】
窓開閉検知手段による窓の開放／閉鎖の検知情報に基づいて、窓が開放されている状態から閉鎖されている状態に変化した時点で、制御手段により窓が開放されていた期間中の室内温度に基づいて室内目標温度を補正する請求項１３に記載の換気装置。
【請求項１６】
室内目標温度を表示できるインジケータを備えた請求項１から１５のいずれかに記載の換気装置。
【発明の詳細な説明】
【技術分野】
【０００１】
本発明は、居室等の室内環境の換気を行う換気装置に関するものである。
【背景技術】
【０００２】
近年、冬期の暖房負荷の低減を中心とした省エネルギーを目的に住宅の断熱化や気密化がすすんできている。一方、中間期や夏期においては断熱化や気密化に伴い、住宅内部の熱が屋外へ排出され難くなってきており、省エネルギーの観点から冷房手段に頼らずに換気装置により中間期や夏期の室内温度調整が求められている。従来、この種の換気装置は、屋外温度を検知し給気ファンの回転数を制御するものが知られている（例えば、特許文献１参照）。
【０００３】
以下、その換気装置の一例について図１５を参照しながら説明する。
【０００４】
図１５に示すように、ファン１０１を備えたファン部１０２を有し、このファン部１０２の空気吹出側の端部１０２ａに、フィルターを内装したフィルター枠部１０３、及び空気吹出口１０５を有するルーバー部１０４が順次配設された給気ファン装置であって、ファン部の外郭外側に温度検知手段１０７が設けられるとともに、この温度検知手段１０７が検知する温度を監視し、検知温度に基づいてファンの回転数を調節するファン制御手段１０８を備えた構成となっている。
【特許文献１】特開２０００ー２７４７５７号公報
【発明の開示】
【発明が解決しようとする課題】
【０００５】
このような従来の換気装置では、屋外温度を監視することにより給気量を制御しているが、夏期や中間期のように外気を室内へ導入することで室内温度を維持もしくは低下させる室内冷却を目的とする場合には、室内発熱や日射の大小等に起因する室内の状況を把握することが屋外温度検知手段では困難であるため、居住者の要求に合致した給気量制御ができないという課題があり、室内温度と室内で求められる温度条件に基づき給気を増やすことが要求されている。
【０００６】
本発明は、このような従来の課題を解決するものであり、室内温度と屋外温度と室内目標温度とを比較することにより、居住者の要求に合致した給気量を制御することができる換気装置を提供することを目的としている。
【課題を解決するための手段】
【０００７】
本発明の換気装置は、上記目標を達成するために、給気量を変化させる給気量切替手段と、給気量切替手段を制御する制御手段と、室内温度を検知する室内温度検知手段と、屋外温度を検知する屋外温度検知手段と備える換気装置において、制御手段では、室内温度検知手段で検知した室内温度が屋外温度検知手段で検知した屋外温度よりも高い場合に、あらかじめ設けられている室内目標温度に基づいて給気量切替え手段の制御をおこない給気量を変化させるものである。この手段により、居住者の要求を反映させた室内目標温度を設定し、室内温度と屋外温度と室内目標温度とを比較することにより、居住者の要求に合致した給気量を制御することができる。
【０００８】
また他の手段は、制御手段では、室内温度検知手段で検知した室内温度が室内目標温度よりも高い場合に、給気量を増加させることを特徴とするものである。この手段により、室内の居住者の要求に応じてタイミングよく給気量を増やすことができる。
【０００９】
また他の手段は、制御手段では、室内温度検知手段で検知した室内温度が室内目標温度になるように給気量を制御するものである。この手段により、室内温度維持に対し適切な給気量に制御されるので、給気量切替手段が頻繁に切替わることによる騒音発生を防止することができる。
【００１０】
また他の手段は、室内湿度を検知する室内湿度検知手段と屋外湿度を検知する屋外湿度検知手段とを備え、制御手段では、室内湿度検知手段で検知した室内湿度を用いて室内温度検知手段で検知した室内温度に対し補正を加え、かつ屋外湿度検知手段で検知した屋外湿度を用いて屋外温度検知手段で検知した屋外温度に対し補正を加えることを特徴とするものである。この手段により、相対湿度の大小により居住者が感じる体感温度の変動値を温度に対して補正を加えることにより、居住者の体感に一致するような温度を設定することができる。
【００１１】
また他の手段は、制御手段では、屋外温度検知手段で検知した屋外温度に基づいて室内目標温度を決定することを特徴とするものである。この手段により、コストアップすることなく季節の判断が自動的にすることができる。
【００１２】
また他の手段は、室内を冷房する為の冷房装置が室内に備えられた場合に、冷房装置における冷房設定温度に基づいて、室内目標温度を決定するように構成したものである。この手段により冷房装置の設定温度一体的に換気装置を運転制御することとなり、冷房装置の冷却作用に対して過不足ない給気を供給することができる。
【００１３】
また他の手段は、居住者が入力できる入力手段を備え、入力手段により室内目標温度を居住者が任意に設定できるように構成したものである。この手段により居住者が要求する任意の温度を設定することができる。
【００１４】
また他の手段は、室内を冷房する為の冷房装置が室内に備えられた場合に、冷房装置における運転／停止を検知する冷房運転検知手段を備え、冷房運転検知手段で冷房装置における運転を検知した場合に、制御手段により室内温度と室内目標温度の大小に関わらず給気量を増加することを特徴とするものである。この手段により冷房装置の運転状況から居住者の冷房要求を推量り、冷房要求がある場合に給気量を最大化することにより、冷房装置に要するエネルギーを削減できる。
【００１５】
また他の手段は、冷房運転検知手段として、冷房装置の吹出し風路に温度検知手段を備えたことを特徴とするものである。この手段により、冷房装置の冷房に対する実際の冷房稼動状況を把握することにより、冷房装置の運転状況把握の精度を向上することができる。
【００１６】
また他の手段は、冷房運転検知手段の検知情報に基づき、制御手段では冷房装置が運転から停止に変更されたと判断した時点で、冷房運転中の室内温度に基づいて室内目標温度を補正するものである。この手段により、冷房期間中の室内温度から居住者が要求している設定温度を推定することで、冷房装置停止後における室内の快適性を維持することができる。
【００１７】
また他の手段は、冷房装置の運転を遠隔操作できるリモコンが室内に備えられた場合に、リモコンから発信される赤外線信号を受信できる受信部を備えたものである。この手段により、冷房装置に要求された設定温度や冷房装置の稼動状況を検知することにより、居住者の意識にあった室内環境を維持することができる。室内目標温度の検知精度を向上することができる。
【００１８】
また他の手段は、屋外に対して開放／閉鎖できる窓が室内に備えられた場合に、窓における開放／閉鎖を検知する窓開閉検知手段を備え、窓開閉手段手段の検知情報に基づき、制御手段により給気量切替え手段の給気量を変化させることを特徴とするものである。この手段により、窓の開閉状況から居住者の現在の室内温度に対する意識を間接的に検知することにより、居住者の意識にあった室内環境を維持することができる。
【００１９】
また他の手段は、窓開閉手段手段により窓が開放されていると検知された場合に、制御手段により室内温度と室内目標温度の大小に関わらず給気量を零とすることを特徴とするものである。この手段により無駄な給気運転を削減することにより、給気駆動力のエネルギー削減ができる。
【００２０】
また他の手段は、窓開閉検知手段による窓の開放／閉鎖の検知情報に基づいて、窓が開放されている状態から閉鎖されている状態に変化した時点で、制御手段により窓が開放されていた期間中の室内温度に基づいて室内目標温度を補正するものである。この手段により窓が開放されていた期間中の温度から居住者が要求している設定温度を推定することで、窓を閉鎖した後における室内の快適性を維持することができる。
【００２１】
また他の手段は、室内目標温度を表示できるインジケータを備えたものである。この手段により自動的に決定される室内目標温度と使用者が要求する温度との差異を容易に認識することにより、使用者が状況に応じ適切に温度設定をおこなうことができる。
【発明の効果】
【００２２】
本発明によれば室内と屋外の温度と居住者が要求している温度とから、室内の冷却を目的とした場合の給気量を適切に制御することができるため、エネルギーロスを防止することができるという効果のある換気装置を提供できる。
【発明を実施するための最良の形態】
【００２３】
本発明の請求項１記載の発明は、給気量を変化させる給気量切替手段と、給気量切替手段を制御する制御手段と、室内温度を検知する室内温度検知手段と、屋外温度を検知する屋外温度検知手段と備える換気装置において、制御手段では、室内温度検知手段で検知した室内温度が屋外温度検知手段で検知した屋外温度よりも高い場合に、あらかじめ設けられている室内目標温度に基づいて給気量切替え手段の制御をおこない給気量を変化させることを特徴とするものであり、居住者の要求を反映させた室内目標温度を設定し、室内温度と屋外温度と室内目標温度とを比較することにより、居住者の要求に合致した給気量を制御することができるという作用を有する。また、屋外空気が室内空気を冷却する効果の有無と室内を冷却する要求の有無を自動的に判定することにより、冷房装置を動作させずとも室内の冷却を自動的に行なえるという作用を有する。
【００２４】
また、本発明の請求項２記載の発明は、制御手段では、室内温度検知手段で検知した室内温度が室内目標温度よりも高い場合に、給気量を増加させることを特徴とするものであり、室内の居住者の要求に応じてタイミングよく給気量を増やすことができるという作用を有する。
【００２５】
また、本発明の請求項３記載の発明は、制御手段では、室内温度検知手段で検知した室内温度が室内目標温度になるように給気量を制御するものであり、室内温度維持に対し適切な給気量に制御されるので、給気量切替手段が頻繁に切替わることによる騒音発生を防止することができるという作用を有する。
【００２６】
また、本発明の請求項４記載の発明は、室内湿度を検知する室内湿度検知手段と屋外湿度を検知する屋外湿度検知手段とを備え、制御手段では、室内湿度検知手段で検知した室内湿度を用いて室内温度検知手段で検知した室内温度に対し補正を加え、かつ屋外湿度検知手段で検知した屋外湿度を用いて屋外温度検知手段で検知した屋外温度に対し補正を加えることを特徴とするものであり、相対湿度の大小により居住者が感じる体感温度の変動値を温度に対して補正を加えることにより、居住者の体感に一致するような温度を設定できるという作用を有する。
【００２７】
また、本発明の請求項５記載の発明は、現在の月日を判断できるカレンダー手段を備え、制御手段では、カレンダー手段の日時に基づいて室内目標温度を決定することを特徴とするものであり、居住者が快適となる室内温度を季節変化に応じて自動的に設定することができるという作用を有する。
【００２８】
また、本発明の請求項６記載の発明は、屋外湿度検知手段で検知した屋外温度に基づいて室内目標温度を決定することを特徴とするものであり、コストアップすることなく季節の判断が自動的にできるという作用を有する。
【００２９】
また、本発明の請求項７記載の発明は、室内を冷房する為の冷房装置が室内に備えられた場合に、冷房装置における冷房設定温度に基づいて、室内目標温度を決定するように構成したものであり、冷房装置の設定温度一体的に換気装置を運転制御することとなり、冷房装置の冷却作用に対して過不足ない給気を供給することができるという作用を有する。
【００３０】
また、本発明の請求項８記載の発明は、居住者が入力できる入力手段を備え、入力手段により室内目標温度を居住者が任意に設定できるように構成したものであり、居住者が要求する任意の温度を設定ができるという作用を有する。
【００３１】
また、本発明の請求項９記載の発明は、室内を冷房する為の冷房装置が室内に備えられた場合に、冷房装置における運転／停止を検知する冷房運転検知手段を備え、冷房運転検知手段で冷房装置における運転を検知した場合に、制御手段により室内温度と室内目標温度の大小に関わらず給気量を増加することを特徴とするものであり、冷房装置の運転状況から居住者の冷房要求を推量り、冷房要求がある場合に給気量を最大化することにより、冷房装置に要するエネルギーを削減できるという作用を有する。
【００３２】
また、本発明の請求項１０記載の発明は、冷房運転検知手段として、冷房装置の吹出し風路に温度検知手段を備えたことを特徴とするものであり、冷房装置の冷房に対する実際の冷房稼動状況を把握することにより、冷房装置の運転状況把握の精度を向上することができるという作用を有する。
【００３３】
また、本発明の請求項１１記載の発明は、冷房運転検知手段の検知情報に基づき、制御手段では冷房装置が運転から停止に変更されたと判断した時点で、冷房運転中の室内温度に基づいて室内目標温度を補正するものであり、冷房期間中の室内温度から居住者が要求している設定温度を推定することで、冷房装置停止後における室内の快適性を維持することができるという作用を有する。
【００３４】
また、本発明の請求項１２記載の発明は、冷房装置の運転を遠隔操作できるリモコンが室内に備えられた場合に、リモコンから発信される赤外線信号を受信できる受信部を備えたものであり、冷房装置に要求された設定温度や冷房装置の稼動状況を検知することにより、居住者の意識にあった室内環境を維持することができる。室内目標温度の検知精度を向上ができるという作用を有する。
【００３５】
また、本発明の請求項１３記載の発明は、屋外に対して開放／閉鎖できる窓が室内に備えられた場合に、窓における開放／閉鎖を検知する窓開閉検知手段を備え、窓開閉手段手段の検知情報に基づき、制御手段により給気量切替え手段の給気量を変化させることを特徴とするものであり、窓の開閉状況から居住者の現在の室内温度に対する意識を間接的に検知することにより、居住者の意識にあった室内環境を維持できるという作用を有する。
【００３６】
また、本発明の請求項１４記載の発明は、窓開閉手段手段により窓が開放されていると検知された場合に、制御手段により室内温度と室内目標温度の大小に関わらず給気量を零とすることを特徴とするものであり、無駄な給気運転を削減することにより、給気駆動力のエネルギー削減ができるという作用を有する。
【００３７】
また、本発明の請求項１５記載の発明は、窓開閉検知手段による窓の開放／閉鎖の検知情報に基づいて、窓が開放されている状態から閉鎖されている状態に変化した時点で、制御手段により窓が開放されていた期間中の室内温度に基づいて室内目標温度を補正するものであり、窓が開放されていた期間中の温度から居住者が要求している設定温度を推定することで、窓を閉鎖した後における室内の快適性を維持することができるという作用を有する。
【００３８】
また、本発明の請求項１６記載の発明は、室内目標温度を表示できるインジケータを備えたものであり、自動的に決定される室内目標温度と使用者が要求する温度との差異を容易に認識することにより、使用者が状況に応じ適切に温度設定をおこなうことができるという作用を有する。
【００３９】
以下、本発明の実施の形態について図面を参照しながら説明する。
【００４０】
（実施の形態１）
図１は、本発明の実施の形態１における換気装置の構成を示す斜視断面図、図２は壁面に設置された分解斜視図である。図３は、本発明の実施の形態１における換気装置の制御ブロック図である。図４は、同別の構成を示すの制御ブロック図である。図５は、本発明の実施の形態１における換気装置の制御フローチャート図である。
【００４１】
図１に示すように、一例として、部屋の中である室内と、住宅の外となる屋外を連通するようにＶＵ管の呼び径１５０ｍｍ相当のパイプが挿入できる円筒状の開口部を住宅の壁面に貫通するように開け、室内側から挿入して装着する換気装置を設けている。
【００４２】
換気装置は、一例として、外郭１を構成する風洞２と、この風洞２内で２種類の羽根車（給気羽根車３と排気羽根車４）と、この２種類の羽根車を各々回転させる２種類の駆動用モータ（給気駆動用モータ５と排気駆動用モータ６）により換気機能を果たす構成となっている。
【００４３】
換気装置は、一例として、直径約８０ｍｍ相当の内周風路７を構成する入口内側風洞８を持ち、内周風路７の内側にプロペラファンまたはターボファンの形状をした排気羽根車４を設置している。
【００４４】
排気羽根車４と常時換気の排気量を満足するように回転の中心軸９で連結された排気駆動用モータ６を設けている。
【００４５】
また、排気羽根車４と回転の中心軸９が同一で、かつ排気羽根車４よりも直径が大きい給気羽根車３を排気羽根車４と排気駆動用モータ６よりも屋外側に設置している。
【００４６】
給気羽根車３のボス部１０の内周側は、連通する空洞となっており、排気羽根車４によって排気される空気を通過できる構成となっている。
【００４７】
給気羽根車３のボス部１０は、内周風路７の直径相当となっており、内周風路７を構成する入口内側風洞８の端部と給気羽根車３のボス部１０の端部は、一例として、１から３ｍｍ相当の空間が開いており、排気経路としての内周風路７を通過する排気空気と外郭１を構成する風洞２と一体となった給気経路としての外周風路１１を通過する給気空気が混ざりにくく、かつ給気羽根車３が回転時に内周風路７に接触しないように構成されている。
【００４８】
給気羽根車３は、常時換気の風量を満足するとともに、更に風量を増大することができるように設定された給気量切替手段として、回転数を可変することができる給気駆動用モータ５を設けている。
【００４９】
図２に示すように、室内側には、屋外の空気を流入するときに外気のほこりや花粉などを除去する機能を持つ花粉除去フィルタの一例である給気清浄プリーツフィルタ１２を室内側に設置された前面パネル１３の給気口１４に設置して、室内を正常な状態に保つ働きをしている。
【００５０】
排気経路としての内周風路７には、室内の異物を混入して排気羽根車６を破損しないために室内側の排気側格子１５を前面パネル１３の排気口１６に設置する構成になっている。
【００５１】
給気清浄プリーツフィルタ１２は、室内側から簡単に取り外すことができ、メンテナンスが容易にできるようになっている。
【００５２】
室内温度検知手段としての室内温度サーミスタ１７は、給気経路としての外周風路１１の一部に設置されている。
【００５３】
また、屋外温度検知手段としての屋外温度サーミスタ１８は、排気経路としての内周風路７の一部に設置されている。
【００５４】
居住者が室内室内目標温度を指示するための入力手段としてのスイッチ１９は、居住者が押しやすいように前面パネル１３の一部に備えており、居住者が任意の室内温度を設定することができる。
【００５５】
つぎに、本実施の形態１における動作を説明する。
【００５６】
図１および図２に示すように、換気装置は、住宅の壁面に設置されており、通常は住宅の常時換気を行うため、風洞２の中の内周風路３を使って、排気羽根車４と排気駆動用モータ６を動作させて、室内側にある排気口１６から室内の空気が排気され、室内にある化学物質（一例としてホルムアルデヒド）などの汚染空気を屋外に排出して、居住する人の健康を維持するものである。また、スイッチ１９により居住者が任意に入力した室内目標温度と比較して室内温度が高くなり、かつ屋外温度より室内温度が高くなったことを検知および判断（一例として測定精度を考慮して、室内温度＋０．５℃≧室内目標温度  かつ  室内温度＋０．５℃≧屋外温度）に基づき、給気羽根車３と給気駆動用モータ５の回転数を増加させて風量を上昇させた臨時給気を行うことで、外気を積極的に取り入れて室内の温度上昇を抑えることができる。
【００５７】
また、臨時給気をおこなっている期間中は、室内温度が室内目標温度に概略一致するように給気量切替え手段において適切な給気量の大小を制御することにより、給気量切替手段が頻繁に切替わることによる給気駆動用モータ５の回転数変化に基づく騒音発生を防止することが可能となる。
【００５８】
室内目標温度に関しては、スイッチ１９による居住者の任意設定に基づく室内目標温度のみで決定する形態で説明したが、別の手段の構成として図３に示すように、制御手段２０の内部に現在の日時を判断できるカレンダー手段が備えられ、カレンダー手段の日時より季節の判断を行い室内目標温度を演算する演算手段が備えられ、居住者が室内目標温度を設定しなくとも、快適となる室内温度を季節変化に応じて自動的に設定することが可能となる。一例として１１月〜３月を冬期に、４月〜６月および９月〜１０月を中間期に、７月〜８月を夏期に定め、冬期には２２℃  中間期には２４℃、夏期には２６℃といったように室内目標温度を自動的に設定することとなる。
【００５９】
また、同様に別の手段の構成として図４に示すように、屋外温度検知手段としての屋外温度サーミスタ１８より検知された屋外温度により、制御手段２０において屋外温度に基づいて室内目標温度を設定する判断手段が備えられ、カレンダー機能が必要なくなるのでコストを増やすことなく季節の判断ができ、快適となる室内目標温度を自動的に決めることが可能となる。一例としては、外気温度を一定期間の平均値（例えば２４時間の移動平均値）を算出し、外気温度の平均値が１５℃未満を冬期に、１５℃以上２５℃未満を中間期に、２５℃以上を夏期と定め、冬期には２２℃  中間期には２４℃、夏期には２６℃といったように室内目標温度を自動的に設定することとなる。
【００６０】
図５に示すように、居住者が電源をオンした（Ｓ１）後に、室内温度や屋外温度および室内目標など温度データを取得する（Ｓ２）。次に、室内温度と屋外温度を比較し（Ｓ３）、室内温度より屋外温度が小さい場合は次ステップ（Ｓ４）にすすみ、また、室内温度より屋外温度が小さくない場合は（Ｓ６）にすすむ。次に、室内温度と室内目標温度を比較し（Ｓ４）、室内温度より室内目標温度が小さい場合は（Ｓ５）にすすみ、また、室内温度より室内目標温度が小さくない場合は（Ｓ６）にすすむ。（Ｓ５）では臨時給気がおこなわれ、給気駆動用モータ５の回転数を増加させて風量を上昇させる。また、（Ｓ６）では、常時換気をおこなう。（Ｓ５）もしくは（Ｓ６）にて臨時給気もしくは常時換気のどちらかの運転状態を決定後は、再度（Ｓ１）に戻り、同じ制御を繰り返す。
【００６１】
（実施の形態２）
本発明の実施の形態２は、実施の形態１と同一部分については同一番号を付し、詳細な説明は省略する。
【００６２】
室内湿度検知手段としての室内湿度センサ（図示せず）が室内温度サーミスタ１７の近傍に、屋外湿度検知手段としての屋外湿度センサ（図示せず）が屋外温度サーミスタ１８の近傍備えられており、温度とともに湿度を検知できる構成となっている。
【００６３】
図６は、本発明の実施の形態２における換気装置の制御手段のブロック図である。
【００６４】
図６に示すように、室内温度検出手段としての室内温度サーミスタ１７と室内湿度検出手段としての室内湿度センサとから検知された室内温度と室内湿度が、温度補正手段で居住者の温冷感覚で感じる体感温度に補正される。すなわち、室内湿度の大小に応じて室内温度に補正を加えることとなり、居住者の感覚に合致した制御ができ居住者の快適性向上となる。また、屋外温度に関しても同様の湿度補正を加える。
【００６５】
（実施の形態３）
本発明の実施の形態３は、実施の形態１および実施の形態２と同一部分については同一番号を付し、詳細な説明は省略する。
【００６６】
図７は、本発明の実施の形態３における換気装置が備えられている部屋の模式図である。図８は、本発明の実施の形態３における換気装置の制御手段のブロック図である。図９は本発明の実施の形態３における換気装置の制御フローチャート図である。
【００６７】
図７に示すように、換気装置が備えられている部屋に設けられている冷房装置に関して、冷房装置における冷房運転の有無を検知する冷房運転検知手段としての吹出温度サーミスタ２１を冷房装置の吹出し風路内に配置し、吹出温度サーミスタ２１と換気装置との間を冷房装置信号線２２で接続する。吹出温度サーミスタ２１で検知される吹出温度と室内温度サーミスタ１７で検知される室内温度とを比較することにより、換気装置の制御手段では冷房装置における冷房の有無を判断することができる。一例として、吹出し温度と室内温度を比較し、室内温度よりも吹出し温度が低い場合は冷房装置が運転しているといった判断をおこなう。したがって、制御手段にて冷房装置の冷房運転がなされていると判断した場合には、給気駆動モータ５を可能な範囲で最大の回転数に設定し給気量を最大とし、冷房装置における冷房負荷分をできる限り換気装置で負担することとなり、冷房装置に要するエネルギーを削減することができる。
【００６８】
また、図８に示すように、制御手段では冷房装置が冷房運転されている期間の室内温度をメモリ手段で温度情報を保持できる構成となっており、一例として制御手段により冷房装置の冷房運転状況が運転から停止へ変化したと判断した時点で、メモリ手段に保持されている温度情報を用い室内目標温度を変更することにより、冷房装置で冷房運転されていた期間中の室内温度から居住者が要求している室内目標温度を推定することができ、冷房運転を停止させた後も可能な範囲で、居住者の要求に近い室内温度を維持することができる。
【００６９】
図８に示すように、冷房運転検知手段により冷房運転が開始（Ｓ１１）された後に、室内温度や屋外温度の温度データを取得する（Ｓ１２）。次に、室内温度と屋外温度を比較し（Ｓ１３）、室内温度より屋外温度が小さい場合は次ステップ（Ｓ１４）にすすみ、また、室内温度より屋外温度が小さくない場合は（Ｓ１５）にすすむ。（Ｓ１４）では臨時給気がおこなわれ、給気駆動用モータ５の回転数を増加させて風量を上昇させる。また、（Ｓ１５）では、常時換気をおこなう。（Ｓ１４）もしくは（Ｓ１５）にて臨時給気もしくは常時換気のどちらかの運転状態を決定後は次ステップ（Ｓ１６）にすすみ、冷房運転がＯＦＦとなるまで（Ｓ１２）から（Ｓ１６）を繰り返す。Ｓ１６にて冷房運転がＯＦＦとなった時点で、冷房運転中の室内温度に基づいて、室内目標温度を変更し、通常の換気運転制御となる。
【００７０】
（実施の形態４）
本発明の実施の形態４は、実施の形態１から実施の形態３と同一部分については同一番号を付し、詳細な説明は省略する。
【００７１】
図１０は、本発明の実施の形態４における換気装置が備えられている部屋の模式図である。図１１は、本発明の実施の形態４における換気装置の外観図である。
【００７２】
図１０に示すように、換気装置が備えられている部屋に設けられている冷房装置に関して、赤外線信号を用いることで冷房装置に対して遠隔操作が可能なリモコンが、居住者が容易に操作できる位置に備えられている。また、図１１に示すように、換気装置には冷房装置のリモコンから発信される赤外線信号を受信するための受信部２３が、換気装置の室内側に面する前面パネルに備えられている。受信部２３と制御手段は信号線（図示せず）で接続されており、受信部２３で受信した冷房装置の運転制御情報や冷房装置の温度設定情報が制御手段へ伝達されることとなる。従って、制御手段にて冷房装置の冷房運転がなされていると判断した場合には、給気駆動モータ５を可能な範囲で最大の回転数に設定することで、給気量を最大に設定し、冷房装置における冷房負荷分をできる限り換気装置で負担することとなり、冷房装置に要するエネルギーを削減することができる。
【００７３】
また、制御手段にて冷房装置の設定温度に基づいて、室内目標温度を変更することにより、居住者の要求に近い室内温度を維持することができる。
【００７４】
（実施の形態５）
本発明の実施の形態５は、実施の形態１から実施の形態４と同一部分については同一番号を付し、詳細な説明は省略する。
【００７５】
図１２は、本発明の実施の形態５における換気装置が備えられている部屋の模式図である。図１３、本発明の実施の形態５における換気装置の制御フローチャート図である。
【００７６】
図１２に示すように、換気装置が備えられている部屋に設けられている窓に関して、窓の開閉状態を検知する窓開閉検知手段としての接触式センサ２４を窓の一部に配置して、接触式センサ２４と制御手段との間を窓信号線２５で接続することにより、制御手段で窓の開閉状況を判断することができる。したがって、制御手段にて窓が開放されていると判断した場合に、給気駆動モータ５と排気駆動モータ６への通電を停止させ換気装置の給気量および排気量を零とすることとなる。また、制御手段では窓が開放されている期間の室内温度をメモリ手段で温度情報を保持できる構成となっており、一例として制御手段により窓の開閉状況が開放から閉鎖へ変化したと判断した時点で、メモリ手段に保持されている温度情報を用い室内目標温度を変更することにより、窓が開放されていた期間中の室内温度から居住者が要求している室内目標温度を推定することができ、窓を閉鎖させた後も可能な範囲で、居住者の要求に近い室内温度を維持することができる。
【００７７】
図１３に示すように、窓開閉検知手段により窓の開放を検知すると（Ｓ２１）、給気駆動モータと排気駆動モータを停止させる（Ｓ２２）。続いて、窓の開閉状態を判断するステップにて（Ｓ２３）、窓が閉鎖されるまで（Ｓ２２）の状態で待機し、窓が閉鎖されるとともに冷房運転中の室内温度に基づいて室内目標温度を変更し（Ｓ２４）、通常の換気運転制御へ戻る。
【００７８】
（実施の形態６）
本発明の実施の形態６は、実施の形態１から実施の形態５と同一部分については同一番号を付し、詳細な説明は省略する。
【００７９】
図１４は、本発明の実施の形態６における換気装置の構成を示す斜視断面図を示す。
【００８０】
図１４に示すように換気装置の室内側に面する前面パネルの一部にインジケータ２６が備えられ、インジケータ２６には室内目標温度が視認できるようになっており、自動的に決定される室内目標温度と使用者が要求する温度との差異を容易に認識することができ、使用者が状況に応じ適切に温度設定をおこなうことができる。
【産業上の利用可能性】
【００８１】
天井や床など取り付けられる場所にあわせて構造を変更することにより、天井埋め込み型の換気扇の用途にも適用できる。
【図面の簡単な説明】
【００８２】
【図１】本発明の実施の形態１における換気装置の構成を示す斜視断面図
【図２】壁面に設置された分解斜視図
【図３】本発明の実施の形態１における換気装置の制御ブロック図
【図４】同別の構成を示すの制御ブロック図
【図５】本発明の実施の形態１における換気装置の制御フローチャート
【図６】本発明の実施の形態２における換気装置の制御手段のブロック図
【図７】本発明の実施の形態３における換気装置が備えられている部屋の模式図
【図８】本発明の実施の形態３における換気装置の制御手段のブロック図
【図９】本発明の実施の形態３における換気装置の制御フローチャート
【図１０】本発明の実施の形態４における換気装置が備えられている部屋の模式図
【図１１】本発明の実施の形態４における換気装置の外観図
【図１２】本発明の実施の形態４における換気装置が備えられている部屋の模式図
【図１３】本発明の実施の形態５における換気装置の制御フローチャート
【図１４】本発明の実施の形態６における換気装置の構成を示す斜視断面図
【図１５】従来の換気装置の構成を示す側面図
【符号の説明】
【００８３】
５    給気駆動用モータ
１７  室内温度サーミスタ
１８  屋外温度サーミスタ
１９  スイッチ
２０  制御手段
２１  吹出温度サーミスタ
２３  受信部
２４  接触式センサ
２６  インジケータ
【図１】
2009216308.tif 000003
【図２】
2009216308.tif 000004
【図３】
2009216308.tif 000005
【図４】
2009216308.tif 000006
【図５】
2009216308.tif 000007
【図６】
2009216308.tif 000008
【図７】
2009216308.tif 000009
【図８】
2009216308.tif 000010
【図９】
2009216308.tif 000011
【図１０】
2009216308.tif 000012
【図１１】
2009216308.tif 000013
【図１２】
2009216308.tif 000014
【図１３】
2009216308.tif 000015
【図１４】
2009216308.tif 000016
【図１５】
2009216308.tif 000017